(57)【要約】【課題】カセット収納部への給紙カセットのスムーズな出し入れができるだけでなく、カセット収納部に収納した給紙カセットを安定した状態で保持でき、その振動を効果的に抑制できる給紙装置、及び該給紙装置を備えた画像形成装置を提供する。【解決手段】給紙カセット２０に設けたガイド面３３と、カセット収納部４０に設けたコロ４３とを備え、給紙カセット２０がカセット収納部４０内をその収納方向に沿って移動する際に、コロ４３上に載置されたガイド面３３がコロ４３の回転でスライド移動するように構成した給紙装置において、カセット収納部４０に、給紙カセット２０がカセット収納部４０に収納された収納位置でガイド面３３を面接触で載置する載置面４２を設けたことで、収納された給紙カセット２０が安定した状態で保持されて、用紙搬送の際の給紙カセット２０の振動が抑制されるようにした。【選択図】図５
2008120588.tif 000002
【特許請求の範囲】
【請求項１】
用紙を装填する給紙カセットと、前記給紙カセットを収納するカセット収納部と、前記給紙カセットに設けたガイド部と、前記カセット収納部に設けた回転部材とを備え、前記給紙カセットが前記カセット収納部内をその収納方向に沿って移動する際に、前記回転部材上に載置された前記ガイド部が前記回転部材の回転でスライド移動するように構成した給紙装置において、
前記カセット収納部に、前記給紙カセットが前記カセット収納部に収納された収納位置で前記ガイド部を載置する載置部を設けたことを特徴とする給紙装置。
【請求項２】
請求項１に記載の給紙装置において、
前記ガイド部が前記載置部に面接触で載置されると共に、該面接触で載置される部分の前記収納方向の長さ寸法が、前記給紙カセット内に装填される用紙の前記収納方向の最大幅寸法以上の寸法になるように構成したことを特徴とする給紙装置。
【請求項３】
請求項１又は２に記載の給紙装置において、
前記回転部材は、前記載置部よりも前記給紙カセットのガイド部側に突出して配置されていると共に、前記給紙カセットに、前記収納位置で前記回転部材を係合させる回転部材係合部を設けたことを特徴とする給紙装置。
【請求項４】
請求項３に記載の給紙装置において、
前記回転部材は、前記カセット収納部の前記収納方向における前記載置部の手前側に配置されていることを特徴とする給紙装置。
【請求項５】
請求項３又は４に記載の給紙装置において、
前記給紙カセットの前記回転部材係合部と前記ガイド部の間に、前記給紙カセットが前記収納位置から移動する際に前記回転部材が乗り越える段部を設けたことを特徴とする給紙装置。
【請求項６】
請求項１乃至５のいずれか１項に記載の給紙装置を備えたことを特徴とする画像形成装置。
【発明の詳細な説明】
【技術分野】
【０００１】
本発明は、用紙を装填する給紙カセットをカセット収納部に出し入れする際に、該カセット収納部内で給紙カセットをスライド移動させるように構成した給紙装置、及び該給紙装置を備えた画像形成装置に関するものである。
【背景技術】
【０００２】
ファクシミリやコピー機などの画像形成装置には、特許文献１に示すように、画像を記録する記録部へ搬送する用紙を装填する給紙カセットを備えた給紙装置が設けられている。この給紙装置では、給紙カセットが画像形成装置の本体部に設けたカセット収納部に引出状に収納されている。そして、カセット収納部へ出し入れする給紙カセットを移動させる移動機構が設けられている。この移動機構は、給紙カセットに形成したレール状のガイド部を、カセット収納部に設けたコロ（回転部材）の上に載置した構成で、給紙カセットを出し入れする際に、ガイド部がコロの回転で滑らかにスライド移動することで、給紙カセットの引き出しや押し込みを軽い力で静かに行えるようにしたものである。
【０００３】
また、この給紙装置には、給紙カセット内で用紙を載置するフラッパーと、該フラッパーの前端側（搬送下流側）に配置された給紙ローラと、該給紙ローラに圧接する分離パッドとからなる用紙分離給送機構を備えたものがある。このような給紙装置では、給紙カセット内でフラッパー上に載置された複数枚の用紙が、給紙ローラの回転によって給紙ローラと分離パッドの圧接部で一枚ずつ分離されて、下流側の用紙搬送路へ搬送される。
【特許文献１】特開平７−１３３０３３号公報
【発明の開示】
【発明が解決しようとする課題】
【０００４】
ところで、上記のような給紙装置では、用紙の搬送を行う際に、給紙ローラの回転によって用紙と分離パッドが擦れることで、分離パッドが振動し、この振動が給紙カセットに伝わる。給紙カセットの振動が大きくなると、記録部で記録される画像の画質等に影響が出るおそれがある。そのため、カセット収納部に収納された給紙カセットは、その振動をできるだけ抑制できるように、安定した状態で保持することが必要である。しかしながら、上記の移動機構では、給紙カセットのスムーズな出し入れが行えるものの、カセット収納部に収納されている給紙カセットを安定した状態で保持するための対策は、必ずしも十分ではなかった。
【０００５】
本発明は上述の点に鑑みてなされたものでありその目的は、カセット収納部への給紙カセットのスムーズな出し入れができるだけでなく、カセット収納部に収納した給紙カセットを安定した状態で保持できる給紙装置、及び該給紙装置を備えた画像形成装置を提供することにある。
【課題を解決するための手段】
【０００６】
上記課題を解決するため本願の請求項１に記載の発明は、用紙を装填する給紙カセットと、前記給紙カセットを収納するカセット収納部と、前記給紙カセットに設けたガイド部と、前記カセット収納部に設けた回転部材とを備え、前記給紙カセットが前記カセット収納部内をその収納方向に沿って移動する際に、前記回転部材上に載置された前記ガイド部が前記回転部材の回転でスライド移動するように構成した給紙装置において、前記カセット収納部に、前記給紙カセットが前記カセット収納部に収納された収納位置で前記ガイド部を載置する載置部を設けたことを特徴とする。
【０００７】
本願の請求項２に記載の発明は、請求項１に記載の給紙装置において、前記ガイド部が前記載置部に面接触で載置されると共に、該面接触で載置される部分の前記収納方向の長さ寸法が、前記給紙カセット内に装填される用紙の前記収納方向の最大幅寸法以上の寸法になるように構成したことを特徴とする。
【０００８】
本願の請求項３に記載の発明は、請求項１又は２に記載の給紙装置において、前記回転部材は、前記載置部よりも前記給紙カセットのガイド部側に突出して配置されていると共に、前記給紙カセットに、前記収納位置で前記回転部材を係合させる回転部材係合部を設けたことを特徴とする。
【０００９】
本願の請求項４に記載の発明は、請求項３に記載の給紙装置において、前記回転部材は、前記カセット収納部の前記収納方向における前記載置部の手前側に配置されていることを特徴とする。
【００１０】
本願の請求項５に記載の発明は、請求項３又は４に記載の給紙装置において、前記給紙カセットの前記回転部材係合部と前記ガイド部の間に、前記給紙カセットが前記収納位置から移動する際に前記回転部材が乗り越える段部を設けたことを特徴とする。
【００１１】
本願の請求項６に記載の発明は、請求項１乃至５のいずれか１項に記載の給紙装置を備えたことを特徴とする画像形成装置にある。
【発明の効果】
【００１２】
本願の請求項１に記載の発明によれば、給紙カセットがカセット収納部内をその収納方向に沿って移動する際に、回転部材上に載置されたガイド部が回転部材の回転でスライド移動するように構成した給紙装置において、カセット収納部に、給紙カセットがカセット収納部に収納された収納位置でガイド部を載置する載置部を設けたので、給紙カセットをカセット収納部内でスムーズにスライド移動させて出し入れできるだけでなく、ガイド部が載置部に載置されることで、収納位置に収納された給紙カセットが安定した状態で保持される。したがって、給紙カセット内の用紙を搬送する際の給紙カセットの振動を効果的に抑制することができる。
【００１３】
本願の請求項２に記載の発明によれば、ガイド部が載置部に面接触で載置されるように構成したので、収納位置に収納された給紙カセットをより安定した状態で保持することができ、その振動をさらに効果的に抑制できるようになる。また、面接触で載置される部分の収納方向の長さ寸法が、給紙カセット内に装填される用紙の収納方向の最大幅寸法以上の寸法になるように構成したので、給紙カセット内から搬送される用紙の全幅に渡って振動が伝わることを防止でき、用紙を正確に搬送できるようになる。
【００１４】
本願の請求項３に記載の発明によれば、回転部材は、載置部よりも給紙カセットのガイド部側に突出して配置されていると共に、給紙カセットに、収納位置で回転部材を係合させる回転部材係合部を設けたので、給紙カセットがカセット収納部内を移動する際にはガイド部が回転部材上に載置され、収納位置に収納された際にはガイド部が載置部に載置されるようになり、簡単な構成で、給紙カセットのスムーズなスライド移動と収納位置での安定した保持の両方を実現することができる。
【００１５】
本願の請求項４に記載の発明によれば、回転部材は、カセット収納部の収納方向における載置部の手前側に配置されているので、給紙カセットの出し入れを行う際に、ガイド部を回転部材でスムーズに移動させることができる。
【００１６】
本願の請求項５に記載の発明によれば、給紙カセットの回転部材係合部とガイド部の間に、給紙カセットが収納位置から移動する際に回転部材が乗り越える段部を設けたので、簡単な構成で、給紙カセットを出し入れする際の給紙カセットを移動させる力に抵抗力を付与することができ、収納位置に収納した給紙カセットが不用意に移動するおそれがなくなる。
【００１７】
本願の請求項６に記載の発明によれば、画像形成装置に上記の給紙装置を備えたことで、給紙カセットが安定した状態で保持され、用紙に形成される画像の画質が良好になる。
【発明を実施するための最良の形態】
【００１８】
以下、本発明の実施形態を図面に基づいて詳細に説明する。図１は、本発明の一実施形態にかかる給紙装置を備えた画像形成装置の外観構成例を示す斜視図である。まず、同図を用いて画像形成装置の概略全体構成について説明する。本発明を適用する画像形成装置としては、給紙カセットを備えた画像形成装置であれば、コピー機やファクシミリ装置やプリンタあるいはこれらの機能を兼ね備えたいわゆる複合機のうちのいずれであっても良い。同図に示す画像形成装置１は、上段側に設置された読取部２と、下段側に設置された記録部３とを備えている。
【００１９】
読取部２は、原稿の画像を走査して読み取る画像読取装置４と、画像読取装置４の前面に取り付けられた操作パネル５と、画像読取装置４の上部にその一辺が図示しないヒンジ機構で開閉可能に取り付けられた原稿押えカバー６とを備えている。原稿押えカバー６の一端には、画像読取装置４に原稿用紙を搬送する自動原稿搬送装置（ＡＤＦ装置）７が設置されている。ＡＤＦ装置７は、原稿供給トレイ８上に載置された複数枚の原稿を順に画像読取装置４に搬送し、画像読取装置４で原稿の画像を読み取った後、原稿を原稿排出トレイ９へ排出するようになっている。一方、記録部３には、用紙に画像を記録する記録装置１１と、該記録装置１１に用紙を供給する給紙装置１０とが設けられている。給紙装置１０は、用紙を装填する給紙カセット２０と、該給紙カセット２０を収納する給紙装置１０の本体ケーシング１０ａに設けたカセット収納部４０とを備えている。なお、以下の説明では、給紙カセット２０がカセット収納部４０に収納される方向を収納方向といい、給紙カセット２０内の用紙が給送される方向を給紙方向という。
【００２０】
図２は、カセット収納部４０に収納された給紙カセット２０を収納方向の手前側から見た概略側断面図である。また、図３は、給紙カセット２０を示す図で、同図（ａ）は平面図、同図（ｂ）は給紙方向の前方から見た側面図である。また、図４は、カセット収納部４０を示す図で、給紙方向の前方から見た側断面図である。これらの図に示すように、用紙Ｗを装填する給紙カセット２０は、四方が側壁３０で囲まれ上部が開放された矩形の箱型に形成されている。この給紙カセット２０は、収納方向の手前側の側壁３０に前カバー３１が取り付けられていて、画像形成装置１の前面に向かって開口するカセット収納部４０に引出状に出し入れが可能になっている。
【００２１】
給紙カセット２０の内部には、図２に示すように、回動支軸２１を支点に上下方向に回動可能に設置されたフラッパー２２と、該フラッパー２２の下面側に設置されその回動端を上方に向かって付勢する付勢手段であるコイルスプリング２３が設置されている。また、フラッパー２２の給紙方向の後端部に隣接する位置には、フラッパー２２上に載置される用紙Ｗの後端が当接する板状のエンドガイド２４が設置されている。
【００２２】
また、フラッパー２２の給紙方向の前端部の上方には、給紙方向と直交する水平方向に延在するシャフト２５が架設されており、シャフト２５の中間部に給紙ローラ２６が取り付けられている。シャフト２５の両端部は、給紙カセット２０の両側壁３０に軸支されている。また詳細な図示は省略するが、給紙カセット２０をカセット収納部１２に完全に収納した際に、シャフト２５の一端にカセット収納部１２側に設けた図示しない駆動伝達機構が係合するようになっており、給紙装置１０が備える図示しないモータ等の駆動力源の動力がシャフト２５に伝達されて、給紙ローラ２６が回転するようになっている。
【００２３】
また、図２に示すように、フラッパー２２の給紙方向の前端辺に隣接する位置には、分離パッド２７ａを取り付けた分離パッド支持部材２７が設置されている。この分離パッド支持部材２７は、給紙カセット２０の底部との間に介在するコイルスプリング２７ｂで上方に付勢されていて、その上面に取り付けた分離パッド２７ａが給紙ローラ２６の下面に圧接された状態になっている。分離パッド２７ａは、用紙に対する摩擦係数が給紙ローラ２６の用紙に対する摩擦係数よりも低く、且つ用紙同士の摩擦係数より高い部材である。この分離パッド２７ａには、一例としてウレタン系樹脂材料などからなるシート状の部材を用いることができる。これらによって、給紙ローラ２６がフラッパー２２上に載置された用紙Ｗの給紙方向の前端部の上面に圧接されていると共に、分離パッド２７ａにも圧接された状態になっており、これら給紙ローラ２６と分離パッド２７ａとで、給紙カセット２０内の用紙Ｗを分離して給送する用紙分離給送機構２９が構成されている。
【００２４】
一方、図２及び図３に示すように、給紙カセット２０の収納方向に対する両側の側壁３０の外側面には、ガイドレール３２が形成されている。このガイドレール３２は、断面形状が略矩形状の突起からなり、収納方向に沿って直線状に延伸して配設されている。そして図３（ｂ）に示すように、このガイドレール３２の下面が、収納方向に沿って延伸する平面状のガイド面（ガイド部）３３になっており、このガイド面３３の前カバー３１に隣接する端部には、下記するコロ４３を係合させるコロ係合部３４が設けられている。このコロ係合部３４は、コロ４３の外周側面に沿う半円弧状の凹部である。また、ガイド面３３とコロ係合部３４の間には、ガイド面３３及びコロ係合部３４よりも下方に向かって若干突出している小突起状の段部３５が形成されている。
【００２５】
ガイドレール３２の収納方向の奥側は、給紙カセット２０の奥側の側壁３０よりも後方に突出している。そしてその突出する部分の上面には、小突起状の係止部３６が形成されていて、下面には、ガイド面３３と連続する傾斜部３７が設けられている。この傾斜部３７は、収納方向の手前側から奥側に向かって次第に上昇する傾斜面状に形成されている。なお、図３では、給紙カセット２０の給紙方向の前方に設けたガイドレール３２の側面のみを示したが、給紙方向の後方に設けた他のガイドレール３２も、同様の構成を備えている。
【００２６】
次に、カセット収納部４０は、図２及び図４に示すように、給紙カセット２０を引出状に収納する略矩形の凹部であり、内部の収納方向に対する両側には、収納方向に沿って延伸する段部４１が設けられており、段部４１の上面が平面状の載置面（載置部）４２になっている。この載置面４２は、カセット収納部４０の入口４０ａの近傍から最奥部まで延伸していて、ガイド面３３がこの載置面４３に面接触で載置される部分の収納方向の長さ寸法が、給紙カセット２０内に装填される用紙Ｗの収納方向の最大幅寸法（装填可能な最大サイズの用紙の幅寸法）以上の寸法に設定されている。そしてこの載置面４２の収納方向の手前側の端部（入口４０ａの近傍の端部）には、コロ４３が設置されている。コロ４３は、その回転軸４３ａが収納方向に対して直交する水平方向に配置された円柱状の回転部材で、その上面（回転軸４３ａに対する上側面）が載置面４２よりも若干上側に突出した状態で設置されている。
【００２７】
また、載置面４２の上方には、収納方向に沿って延伸する棒状の案内バー４４が取り付けられている。この案内バー４４は、載置面４２との間に挿入される給紙カセット２０のガイドレール３２を収納方向に沿って案内するもので、収納方向の手前側の端部４４ａがカセット収納部４０内に支持されていて、その途中には、下方に向かって突出する小突起状の係止突起４４ｂが形成されている。この案内バー４４は、カセット収納部４０内に完全に固定されているのではなく、端部４４ａを支点に上下方向に若干移動できるように取り付けられている。上記の給紙カセット２０に設けたガイドレール３２のガイド面３３と、カセット収納部４０に設けた載置面４２及びコロ４３とで、カセット収納部４０に出し入れする給紙カセット２０をスライド移動させる移動機構が構成されている。
【００２８】
ここで、上記構成の給紙カセット２０をカセット収納部４０に収納した状態を説明する。図５は、カセット収納部４０に収納した給紙カセット２０の側面の一部を示す部分拡大図である。なお、以下の説明では、給紙カセット２０をカセット収納部４０の最奥部まで完全に収納した位置を、給紙カセット２０の収納位置という。同図に示す状態では、給紙カセット２０がこの収納位置にある。その状態で、給紙カセット２０のコロ係合部３４にカセット収納部４０のコロ４３が係合していると共に、給紙カセット２０のガイド面３３がカセット収納部４０の載置面４２上に面接触で載置されている。
【００２９】
給紙カセット２０がこの収納位置にある状態で、給紙カセット２０に装填された用紙を給送する際の動作について説明する。給紙カセット２０内では、図２に示すように、フラッパー２２上に載置された用紙Ｗの上面が給紙ローラ２６に弾接している。給紙ローラ２６が回転すると、最上段の用紙Ｗから順に給紙ローラ２６と分離パッド２７ａの圧接部２８に繰り込まれてゆく。その際に、重なった複数枚の用紙Ｗが一緒に圧接部２８に繰り込まれると、用紙Ｗ同士の摩擦係数よりも用紙Ｗと分離パッド２７ａの摩擦係数の方が大きいことで、分離パッド２７ａに接触している下段の用紙Ｗが分離パッド２７ａで制止され、給紙ローラ２６に接触する上段の用紙が順に一枚ずつ分離されて下流側へ給送されてゆき、分離パッド２７ａに接触している下段の用紙Ｗは最上段になったときに給送される。
【００３０】
この用紙Ｗの給送で、分離パッド２７ａに接触する用紙Ｗが給送される際に、分離パッド２７ａが用紙Ｗと擦れるために、分離パッド支持部材２７がコイルスプリング２７ｂの弾発力で微小振動し、この振動が給紙カセット２０に伝わる。ところが、本実施形態の給紙カセット２０は、収納位置にあるときにガイド面３３が載置面４２に面接触で載置されるように構成しているので、カセット収納部４０内の収納位置で安定した状態で保持される。したがって、用紙Ｗの給送の際に分離パッド支持部材２７が振動しても、その振動で給紙カセット２０が振動（共振）することを効果的に抑制できる。
【００３１】
次に、給紙カセット２０を収納位置から引き出す手順を説明する。図６は、この手順を説明するための図である。まず、図５の収納位置にある給紙カセット２０を手前側に引くと、コロ係合部３４に係合しているコロ４３が段部３５を乗り越える。それにより、給紙カセット２０を引き出す力に抵抗力が付与される。コロ４３が段部３５を乗り越えたら、図６（ａ）に示すように、給紙カセット２０のガイド面３３がコロ４３の上に載置される。その状態で、給紙カセット２０をさらに手前側に引き出すと、コロ４３の上に載置されたガイド面３３がコロ４３の回転によって収納方向に沿って手前側にスライド移動しながら、給紙カセット２０が引き出されていく。このとき、コロ４３の上面が載置面４２よりも若干上方（給紙カセット２０のガイド面３３側）に突出しているので、コロ４３の上に載置されているガイド面３３は、載置面４２から離間した状態になっている。
【００３２】
給紙カセット２０をさらに引き出していくと、同図（ｂ）に示すように、ガイドレール３２の係止部３６が案内バー４４の係止突起４４ｂに当接して係止され、給紙カセット２０の移動がその位置で停止する。これにより、給紙カセット２０を引き出す際に、給紙カセット２０が不用意にカセット収納部４０から抜け落ちることを防止できる。その位置から給紙カセット２０をさらに引き出してカセット収納部４０から抜き取るには、同図（ｃ）に示すように、給紙カセット２０の手前側を上方に持ち上げることで、係止部３６を係止突起４４ｂの下側に逃がしながら手前側に引き出す。その際、ガイドレール３２の後端部の下面に傾斜部３７が設けられていることで、ガイドレール３２を載置面４２に接触させずに給紙カセット２０を抜き取ることができる。
【００３３】
一方、上記手順とは逆に給紙カセット２０をカセット収納部４０に収納する際には、給紙カセット２０がカセット収納部４０内を移動する間は、コロ４３上に載置されたガイド面３３がコロ４３の回転によって収納方向に沿ってスライド移動し、給紙カセット２０が収納位置に収納される直前にコロ４３が段部３５を乗り越え、給紙カセット２０が収納位置に収納されると、コロ４３がコロ係合部３４に係合し、ガイド面３３が載置面４２に載置される。
【００３４】
以上説明したように、本実施形態の給紙カセット２０が備える移動機構では、給紙カセット２０がカセット収納部４０内を収納方向に沿って移動する際に、コロ４３上に載置されたガイド面３３がコロ４３の回転でスライド移動すると共に、給紙カセット２０がカセット収納部４０に収納された収納位置で、ガイド面３３が載置面４２上に面接触で載置されるので、給紙カセット２０をカセット収納部４０内でスムーズにスライド移動させて出し入れできるだけでなく、収納位置に収納された給紙カセット２０を安定した状態で保持することができる。したがって、給紙カセット２０内の用紙を搬送する際の給紙カセット２０の振動を効果的に抑制することができ、給紙カセット２０が振動することによる不具合の発生を防止できる。
【００３５】
また、コロ４３を載置面４２よりもガイド面３３側に突出して配置し、給紙カセット２０に、その収納位置でコロ４３を係合させるコロ係合部３４を設けたので、給紙カセット２０がカセット収納部４０内を移動する際にはガイド面３３がコロ４３の上に載置され、収納位置に収納された際にはガイド面３３が載置面４２に面接触で載置されるようになる。したがって、簡単な構成で、給紙カセット２０のスムーズなスライド移動と収納位置での振動の抑制の両方を実現することができる。
【００３６】
また、コロ４３は、カセット収納部４０の収納方向における載置面４２の手前側に配置されているので、給紙カセット２０の出し入れを行う際にガイド面３３をコロ４３でスムーズに移動させることができる。また、給紙カセット２０のコロ係合部３４とガイド面３３の間に段部３５を設けた簡単な構成で、給紙カセット２０を出し入れする力に抵抗力を付与することができるので、収納位置に収納した給紙カセット２０が不用意に移動することを効果的に防止できる。
【００３７】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、本発明の給紙装置が備えるガイド部と回転部材は、上記実施形態に示すガイド面３３とコロ４３には限定されず、回転部材上に載置されたガイド部が回転部材の回転でスライド移動するように構成したものであれば、それらの具体的な形状等は、他の形状等にすることも可能である。また、移動機構が備える載置部も、収納位置に収納された給紙カセットのガイド部を載置できる形状等であれば、上記実施形態とは異なる形状等であってもよい。
【００３８】
また、上記実施形態の給紙カセット２０に設置したフラッパー２２や給紙ローラ２６や分離パッド２７ａなどを備えた用紙分離給送機構２９の構成は一例である。したがって、例えば、上記の用紙分離給送機構２９のように給紙ローラ２６を給紙カセット２０に取り付ける以外にも、給紙ローラ２６をカセット収納部４０内に取り付けて、給紙カセット２０をカセット収納部４０に収納した際に、カセット収納部４０の給紙ローラ２６と給紙カセット２０の分離パッド２７ａが接触するようにしても良い。その場合でも、本実施形態の給紙カセット２０は、ガイド面３３が載置面４２に載置されていることで、収納位置において安定した状態で保持されるため、給紙ローラ２６と分離パッド２７ａの接触状態を良好にすることができ、給紙カセット２０の振動を抑制できると共に、用紙の搬送を安定して行える効果が望める。また、用紙分離給送機構２９の分離パッド支持部材２７は必ずしも必要ではなく、分離パッド２７ａは、給紙カセット２０の側壁３０などに直接取り付けることもできる。
【図面の簡単な説明】
【００３９】
【図１】本発明の一実施形態にかかる給紙装置を備えた画像形成装置の外観構成例を示す斜視図である。
【図２】カセット収納部と該カセット収納部に収納された給紙カセットの構成例を示す側断面図である。
【図３】給紙カセットの構成例を示す図で、同図（ａ）は平面図、同図（ｂ）は側面図である。
【図４】カセット収納部の構成例を示す側断面図である。
【図５】カセット収納部に収納された給紙カセットの側面の一部を示す部分拡大図である。
【図６】給紙カセットがカセット収納部から引き出される際の動作を説明するための図である。
【符号の説明】
【００４０】
１      画像形成装置
２      読取部
３      記録部
４      画像読取装置
５      操作パネル
６      原稿押えカバー
７      自動原稿搬送装置（ＡＤＦ装置）
８      原稿供給トレイ
９      原稿排出トレイ
１０    給紙装置
１１    記録装置
１２    カセット収納部
２０    給紙カセット
２１    回動支軸
２２    フラッパー
２３    コイルスプリング
２４    エンドガイド
２５    シャフト
２６    給紙ローラ
２７    分離パッド支持部材
２７ａ  分離パッド
２７ｂ  コイルスプリング
２８    圧接部
２９    用紙分離給送機構
３０    側壁
３１    前カバー
３２    ガイドレール
３３    ガイド面（ガイド部）
３４    コロ係合部
３５    段部
３６    係止部
３７    傾斜部
４０    カセット収納部
４１    段部
４２    載置面（載置部）
４３    コロ（回転部材）
４４    案内バー
【図１】
2008120588.tif 000003
【図２】
2008120588.tif 000004
【図３】
2008120588.tif 000005
【図４】
2008120588.tif 000006
【図５】
2008120588.tif 000007
【図６】
2008120588.tif 000008